(57)【要約】  本発明は、書類を綴じて保管する事務用クリップに関し、弾性部、前記弾性部の下部に一体に形成され水平に配置されるガイド板、前記弾性部の上部に一体に形成され下方に傾斜するように配置され終端がガイド板の上側に離隔されるように構成される結合板、前記結合板に形成される締結突起、からなるクリップ本体と、前記クリップ本体の結合板が嵌め込まれる嵌合溝を形成した嵌合部、前記クリップ本体の締結突起に対応するように嵌合部に形成され嵌合溝に連通される締結溝、前記嵌合部に一体に形成されガイド板に隣接する加圧板、前記加圧板の終端に延長形成される加圧傾斜部、からなる加圧締結手段と、前記加圧締結手段で形成される装飾と、を含んで構成され、前記クリップ本体と加圧締結手段を着脱できると共に、装飾を介して保管される文書ファイルを区分し、使用することができることを特徴とする。
2019514761.tif 000002
【特許請求の範囲】
【請求項１】
書類を綴じて保管する事務用クリップであって、
弾性部（１１）と、前記弾性部（１１）の下部に一体に形成され、水平に配置されるガイド板（１３）と、前記弾性部（１１）の上部に一体に形成され、下方に傾斜するように配置され、終端がガイド板（１３）の上側に離隔されるように構成される結合板（１５）と、前記結合板（１５）に形成される締結突起（１７）とからなるクリップ本体（１０）と、
前記クリップ本体（１０）の結合板（１５）が嵌め込まれる嵌合溝（２１）を形成した嵌合部（２３）と、前記クリップ本体（１０）の締結突起（１７）に対応するように嵌合部（２３）に形成され、嵌合溝（２１）に連通される締結溝（２５）と、前記嵌合部（２３）に一体に形成され、ガイド板（１３）に隣接する加圧板（２７）と、前記加圧板（２７）の終端に延長形成される加圧傾斜部２９とからなる加圧締結手段（２０）と、
前記加圧締結手段（２０）に形成される装飾（３０）と、
を含んで構成され、
前記クリップ本体（１０）と加圧締結手段（２０）とを着脱できると共に、装飾（３０）を介して保管される文書ファイルを区分し、使用することができることを特徴とする事務用クリップ。
【請求項２】
前記クリップ本体（１０）の締結突起（１７）は、結合板（１５）の一部が切り欠きされ、下方に傾斜するように突出する弾性体からなり、前記加圧締結手段（２０）の締結溝（２５）は、嵌合溝（２１）に連通するように嵌合部（２３）に形成され、締結突起（１７）の終端が嵌め込まれるように構成されることを特徴とする請求項１に記載の事務用クリップ。
【請求項３】
前記締結溝（２５）は、クリップ本体（１０）と加圧締結手段（２０）とを容易に分離させるために、締結突起（１７）に対応するように下方に傾斜するように突出する押圧部（４０）をさらに含む構成であることを特徴とする請求項２に記載の事務用クリップ。
【請求項４】
前記押圧部（４０）は、上側に突出形成され、締結溝（２５）に締結された締結突起（１７）の下面に隣接する押圧突起（４１）をさらに含む構成であることを特徴とする請求項３に記載の事務用クリップ。
【請求項５】
前記装飾（３０）は、射出作製される加圧締結手段（２０）の形状によって形成されることを特徴とする請求項１に記載の事務用クリップ。
【発明の詳細な説明】
【技術分野】
【０００１】
本発明は、事務用クリップに関する。より具体的には、クリップ本体と加圧締結手段の着脱を介してメッキが円滑に行われるようにすることによって、メッキ不良によるクリップの腐食を防止することができるだけでなく、加圧締結手段で形成される装飾を介して重要文書、消防文書及び個人文書をそれぞれ区分し、個性あるように綴じることができると共に、視覚的な装飾効果を通して、利用者が所望する文書ファイルを容易に見つけ出すことができ、嵌合溝に挿入された結合板の締結突起と締結溝との締結を介して、クリップ本体と加圧締結手段の堅固な結合を簡単に達成することができ、締結溝に形成され、締結突起の下面に隣接する押圧突起を構成する押圧部を介して、クリップ本体と加圧締結手段の着脱を容易に行えるようにすることによって、簡単且つ清潔に使用できることはもちろん、分離及び保管を容易にすることができる事務用クリップに関するものである。
【背景技術】
【０００２】
一般に、事務用書類の整理時、書類の量が多くない時には、通常の鉄線クリップを用いているが、書類の量が多い場合には、板材形状に作製された板材形状のクリップを用いる。
【０００３】
このような板材クリップとしては、１個の板材を圧着して書類を固定する専用道具が必要な機構式板材クリップと、クリップの柄部を押圧して書類を固定する柄型のピンセット式板材クリップが使用される。しかし、板材形状に作製された事務用板材クリップの場合には、書類を固定する接触部分が強い弾性により強く当接しているため、クリップ作製時、生産過程に鋭いバリが発生する。
【０００４】
従って、従来のクリップ作製時には、バリを除去し、光沢を出すための研磨工程が必要とされた。
【０００５】
ところで、前述のようなバリ除去及び研磨工程を行う時には、粒子に、非常に細かい異質物が発生するため、接触部分の隙間に堆積が生じる問題がある。これにより、接触部分の異質物を除去するための追加工程が必要とされ、腐食防止と製品の多様化のために、メッキ、コーティング、ペインティングなど表面処理を行わなければならなかった。
【０００６】
しかし、従来のクリップは、強い弾性力によって当接して接触する箇所にメッキを施すことができないので、接触部分での腐食が容易に生じていた。これにより、クリップの再使用ができないだけでなく、保管される文書ファイルが損なわれる問題が発生していた。
【０００７】
一方、最近、特許文献１に記載の「事務用クリップ」が開発されている。
【先行技術文献】
【特許文献】
【０００８】
【特許文献１】韓国公開特許公報第１０−２０１６−００３１４７４号
【発明の概要】
【発明が解決しようとする課題】
【０００９】
前述した事務用クリップは、接触する部分を最小化するために、接触部に突起部材を構成したものであり、メッキの容易性を僅かに高めることはできるが、突起部材によって完璧なメッキ処理は不可能であり、クリップの接触部分に部分的な腐食が発生してしまう問題があった。
【００１０】
また、同じ形状のクリップによって、利用者が保管された文書ファイルを簡単に区分できないだけでなく、事務的な感じがとても強く、硬い感じを受ける問題もあった。
【００１１】
さらに、本出願人は、腐食発生を防止できると共に、文書ファイルを個人の好みに合わせるか、用途に合うように区分し、綴じることができる事務用クリップを開発するに至った。
【課題を解決するための手段】
【００１２】
本発明の目的は、クリップ本体と加圧締結手段の着脱を介して、メッキを円滑に行えるようにすることによって、メッキ不良によるクリップの腐食を防止することができる事務用クリップを提供することにある。
【００１３】
また、本発明の別の目的は、加圧締結手段で形成される装飾を介して、重要文書、消防文書及び個人文書をそれぞれ区分し、個性あるように綴じることができると共に、視覚的な装飾効果を通して、利用者が所望する文書ファイルを容易に見つけ出すことができる事務用クリップを提供することにある。
【００１４】
さらに、本発明のさらに別の目的は、嵌合溝に挿入された結合板の締結突起と締結溝との締結を介して、クリップ本体と加圧締結手段の堅固な結合を簡単に達成することができるだけでなく、締結溝に形成され、締結突起の下面に隣接する押圧突起を構成する押圧部を介して、クリップ本体と加圧締結手段の着脱を容易に行うことができるようにすることによって、簡単且つ清潔に使用することができ、分離及び保管の容易性の高い事務用クリップを提供することにある。
【００１５】
前記のような目的を達成するための本発明は、
書類を綴じて保管する事務用クリップであって、
弾性部、前記弾性部の下部に一体に形成され水平に配置されるガイド板、前記弾性部の上部に一体に形成され下方に傾斜するように配置され終端がガイド板の上側で離隔されるように構成される結合板、及び前記結合板に形成される締結突起からなるクリップ本体と、
前記クリップ本体の結合板が嵌め込まれる嵌合溝を形成した嵌合部、前記クリップ本体の締結突起に対応するように嵌合部に形成され嵌合溝に連通される締結溝、前記嵌合部に一体に形成されガイド板に隣接する加圧板、及び前記加圧板の終端に延長形成される加圧傾斜部からなる加圧締結手段と、
前記加圧締結手段で形成される装飾と、を含んで構成され、
前記クリップ本体と加圧締結手段を着脱できると共に、装飾を介して保管される文書ファイルを区分し、使用することができる事務用クリップを提供する。
【発明の効果】
【００１６】
本発明の事務用クリップによると、クリップ本体と加圧締結手段の着脱を介して、メッキを円滑に行うことができるので、メッキ不良によるクリップの腐食を防止できる長所がある。
【００１７】
また、本発明は、加圧締結手段で形成される装飾を介して、重要文書、消防文書及び個人文書をそれぞれ区分して、個性あるように綴じることができると共に、視覚的な装飾効果を通して利用者が所望する文書ファイルを容易に見つけ出すことができる長所がある。
【００１８】
さらに、本発明は、嵌合溝に挿入された結合板の締結突起と締結溝との締結を介して、クリップ本体と加圧締結手段の堅固な結合を簡単に達成することができるだけでなく、締結溝に形成され、締結突起の下面に隣接する押圧突起を構成する押圧部を介して、クリップ本体と加圧締結手段の着脱を容易に行うことができるので、簡単且つ清潔に使用することができ、分離及び保管の容易性を高めることができる効果を奏する。
【図面の簡単な説明】
【００１９】
【図１】本発明の事務用クリップに装飾が施された状態を示した斜視図である。
【図２】本発明の事務用クリップを着脱し分解して示した斜視図である
【図３】本発明の事務用クリップを結合して示した断面図である。
【図４】本発明の締結溝に、押圧部がさらに構成された状態を示した斜視図である。
【図５】本発明の押圧部が構成された事務用クリップを示した断面図である。
【発明を実施するための最良の形態】
【００２０】
以下、前述のような問題点を解決するための本発明の構成を説明する。
【００２１】
本発明は、図１〜図５に示されるように、書類を綴じて保管する事務用クリップに関するものであり、
弾性部１１、前記弾性部１１の下部に一体に形成され水平に配置されるガイド板１３、前記弾性部１１の上部に一体に形成され下方に傾斜するように配置され、終端がガイド板１３の上側に離隔されるように構成される結合板１５、及び前記結合板１５に形成される締結突起１７からなるクリップ本体１０と、
前記クリップ本体１０の結合板１５が嵌め込まれる嵌合溝２１を形成した嵌合部２３、前記クリップ本体１０の締結突起１７に対応するように嵌合部２３に形成され嵌合溝２１に連通される締結溝２５、前記嵌合部２３に一体に形成されガイド板１３に隣接する加圧板２７、及び前記加圧板２７の終端に延長形成される加圧傾斜部２９からなる加圧締結手段２０と、
前記加圧締結手段２０の嵌合部２３及び加圧板２７に形成される装飾３０と、を含んで構成され、
前記クリップ本体１０と加圧締結手段２０を着脱できると共に、装飾３０を通じて保管される文書ファイルを区分して使用できる。
【００２２】
以下、クリップ本体１０と、加圧締結手段２０と、装飾３０を含んで構成された本発明の事務用クリップ１００について詳細に説明する。
【００２３】
第１に、クリップ本体１０は、書類を綴じるために使用される構成である。クリップ本体１０は、弾性部１１と、前記弾性部１１の下部に一体に形成され、水平に配置されるガイド板１３とから構成される。
【００２４】
さらに、前記弾性部１１の上部には、弾性部１１と一体に形成され、下方に傾斜するように配置される結合板１５が構成される。本発明では、前記結合板１５の終端がガイド板１３の上側に離隔されるように短い長さで構成される。
【００２５】
従って、前記クリップ本体１０は、結合板１５の終端がガイド板１３の上側に離隔されていることにより、クリップ本体１０のメッキ処理を容易に行うことができる。これにより、メッキ不良による腐食が防止される作用効果がある。
【００２６】
また、前記結合板１５には、切り欠きを介して下方に傾斜するように下側に突出し、弾性力を発揮する締結突起１７が構成される。前記締結突起１７は、結合板１５の一部が切り欠きされることを通じて下方に傾斜するように突出する弾性体からなることで、加圧締結手段２０とのワンタッチ結合をなすようにすることが好ましい。
【００２７】
第２に、加圧締結手段２０は、前記クリップ本体１０との締結を介して事務用クリップ１００に組み立てられる構成である。射出によって作製されてもよい。加圧締結手段２０は、前記クリップ本体１０の結合板１５が嵌め込まれる嵌合溝２１を形成した嵌合部２３を構成する。
【００２８】
また、前記嵌合部２３には、クリップ本体１０の締結突起１７に対応するように形成される締結溝２５が構成される。前記締結溝２５は、嵌合溝２１に嵌め込まれた締結突起１７の終端が締結溝２５に嵌め込まれ締結されるように前記嵌合溝２１と連通して形成される。
【００２９】
また、前記嵌合部２３には、加圧板２７が嵌合部２１で一体に延長形成される。嵌合部２３は、ガイド板１３に隣接するように構成されている。前記加圧板２７の終端には、緩い弧状に延長形成されることによって、書類を容易に綴じることができるように開口を形成させる加圧傾斜部２９が構成される。
【００３０】
また、本発明では、締結突起１７と締結溝２５のワンタッチ結合を通じて、締結されたクリップ本体１０と加圧締結手段と２０をさらに容易に着脱させることができる構成がさらに備えられていることが好ましい。このような構成は、前記締結突起１７に対応するように下方に傾斜するように突出する押圧部４０が締結溝２５にさらに含まれる構成によって、容易に達成できる。
【００３１】
前述のように、締結溝２５に押圧部４０をさらに構成したときには、前記押圧部４０の上面に上側に突出する押圧突起４１をさらに含む構成にすることによって、締結溝２５に締結された締結突起１７の下面に、前記押圧突起４１が隣接するようにすることがさらに好ましい。このように、押圧突起４１が構成された押圧部４０を締結溝２５に構成すれば、前記押圧部４０を上側へ押圧する動作だけで締結溝２５に嵌め込まれた締結突起１７を取り出すことができるようになるので、クリップ本体１０と加圧締結手段２０の着脱がより容易になる長所がある。
【００３２】
第３に、装飾３０は前記加圧締結手段２０で形成され、本発明の事務用クリップ１００を利用者の好みに合わせて整理することができる構成である。重要文書は星状のものに飾り、消防関連書類は火の形状のものに飾る。その他の書類は、文書自体に合う多様なキャラクター形状に飾るなどして、視覚的効果を通して書類を自分だけの個性に合うように綴じることができる。これにより、保管された文書ファイル中、利用者が所望する書類ファイルを容易に見つけ出すことができるようになる。
【００３３】
一方、本発明では、前記装飾３０が加圧締結手段２０で施される構成を説明したが、射出により作製される加圧締結手段２０の形状を多様な形状にすることによって、加圧締結手段２０そのものを装飾として活用することもできる。
以下、本発明の好ましい構成に係る作用を説明する。
【００３４】
まず、クリップ本体１０は、結合板１５の終端がガイド板１３の上側に離隔されるように構成される。この構成では、相互に接する部分が発生しないので、メッキ処理を容易に行うことができ、これにより、メッキ不良による不良が発生しなくなる。
また、加圧締結手段２０は、通常の射出により作製する構成であり、多様な形状で簡単に作製することができる。
【００３５】
このように作製されたクリップ本体１０と加圧締結手段２０は、前記加圧締結手段２０に構成された嵌合部２３の嵌合溝２１にクリップ本体１０の結合板１５を嵌め込むだけで簡単に組み立てることができる。前述のように、嵌合溝２１に結合板１５を嵌め込むだけで、クリップ本体１０に構成された締結突起１７が嵌合溝２１に挿入され、弾性力を発揮することになる。
【００３６】
従って、前記締結突起１７が加圧締結手段２０の締結溝２５に対応する位置に移動したときに、前記締結突起１７の終端が弾性力によって締結溝２５に締結される作用が生じる。これにより、クリップ本体１０と加圧締結手段２０とが堅固に結合され、本発明の事務用クリップ１００の組み立てが完了する。
【００３７】
従って、利用者は、書類の種類に応じて、所望の装飾３０が施された加圧締結手段２０をクリップ本体１０に結合させ、利用者が所望する個人の好み又は目的に合う事務用クリップ１００に組み立て、それぞれの文書ファイルに視覚的な効果を与えることができる。これにより、保管中の文書ファイル中、所望の文書ファイルを利用者が容易に見つけ出すことができる、という作用効果を奏する。
【００３８】
一方、使用が完了し、再使用が求められる事務用クリップ１００は、クリップ本体１０と加圧締結手段２０とが結合された状態で保管することもできるが、将来、文書ファイルを希望通りに飾ることができるように、クリップ本体１０と加圧締結手段２０とを分離して保管することが好ましい。このようなクリップ本体１０と加圧締結手段２０との分離保管は、押圧部４０を押圧した状態でクリップ本体１０を引っ張る動作だけで容易に行うことができる。
【００３９】
即ち、利用者が右手の人差し指をクリップ本体１０の内部に挿入した状態で右手の親指と人差し指で加圧締結手段２０の嵌合部２３を上下方向に加圧した後、クリップ本体１０を左手で引っ張るだけで、前記クリップ本体１０と加圧締結手段２０とを分離することができる。押圧部４０の加圧により押圧突起４１が嵌合溝２１に嵌め込まれている締結突起１７を上側に押し上げることによって、前記締結突起１７が締結溝２５から離脱する。
【００４０】
従って、利用者は、締結溝２５から分離されたクリップ本体１０を左手で引っ張るだけで、前記クリップ本体１０と加圧締結手段２０とを分離させることができ、分離保管及び再使用を容易に行うことができるようになる。
【００４１】
また、前記のようなクリップ本体１０と加圧締結手段２０との分離保管を通じて、クリップ本体１０に構成されたガイド板１３と、加圧締結手段２０に構成された加圧板２７及び加圧傾斜部２９が互いに接触する部分の汚れ等を容易に除去することができる。よって、常に、清潔な使用及び保管が可能になり、再使用時に、本発明の事務用クリップ１００により書類が綴じられる部分が汚れることを防止することもできる。
【００４２】
本発明では特定の実施例を限定して説明したが、特定の実施例及び添付された図面によって限定されるのではなく、本発明の技術的思想を逸脱しない範囲内で多様な変化と変形が可能である。このような変化は全て本特許の権利範囲に属することは添付された請求範囲から理解することができる。
【符号の説明】
【００４３】
１０クリップ本体
１１弾性部
１３ガイド板
１５結合板
１７締結突起
２０加圧締結手段
２１嵌合溝
２３嵌合部
２５締結溝
２７加圧板
２９加圧傾斜部
３０装飾
４０押圧部
４１押圧突起
１００事務用クリップ
【図１】
2019514761.tif 000003
【図２】
2019514761.tif 000004
【図３】
2019514761.tif 000005
【図４】
2019514761.tif 000006
【図５】
2019514761.tif 000007
【国際調査報告】
2019514761.tif 000008
2019514761.tif 000009
2019514761.tif 000010
2019514761.tif 000011